(57)【要約】  【課題】  本発明の目的は、送電線の外径のばらつきが許容誤差の範囲内であれば、外径のばらつきに関わらず、送電線の長手方向に対して所定間隔で確実に装着できる難着雪リングを提供することにある。  【解決手段】  本発明の難着雪リング１０は、送電線６に装着される内面形状は楕円形状であって、送電線６の標準外径をＤとしたとき、短径Ａは（０．９７〜０．９８）Ｄ、長径Ｂは（１．０２〜１．０３）Ｄであることを特徴とする。  【選択図】  図２
2006311629.tif 000002
【特許請求の範囲】
【請求項１】
送電線に所定間隔で装着される難着雪リングにおいて、該難着雪リングの内面形状は長径と短径を有する楕円形状になっていることを特徴とする難着雪リング。
【請求項２】
前記送電線の標準外径をＤとしたとき前記難着雪リングの長径は（１．０２〜１．０３）Ｄ、短径は（０．９７〜０．９８）Ｄであることを特徴とする請求項１記載の難着雪リング。
【発明の詳細な説明】
【技術分野】
【０００１】
本発明は、特に降雪地方において送電線に装着して、送電線への着雪、着氷を防止するために使用される難着雪リングに関するものである。
【背景技術】
【０００２】
従来から、特に積雪の多い地域においては、布設されている送電線への着雪や着氷を防ぐために、架空されている送電線を囲むように、所定間隔で難着雪リングを装着することがしばしば行われている。
この種の難着雪リングとしては、通常、ゴムやプラスチック等からなるものが一般的で、さらに送電線への装着が容易なように、例えば難着雪リングを周方向の２箇所で切開し、これら２箇所の切開部分に各々雄型、雌型の嵌合部を設けたり（特許文献１）、難着雪リングを１箇所でのみ切開し、この切開部分に雄型、雌型の嵌合部を設け、他端側に屈曲部を設けて屈曲自在にしたり（特許文献２）している。
【０００３】
以下に特許文献１に記載されている難着雪リングを従来の難着雪リングの例として、図３により説明する。
図３が示す従来の難着雪リング１０は、リング状の難着雪リング１０の本体１を２箇所で切開して、ハーフリング１ａ、１ｂとしたもので、その一端側で両ハーフリング１ａ、１ｂが軸３により回転自在に軸支され、他端は一方のハーフリング１ａの端部には嵌合雌部４が、他方のハーフリング１ｂの端部には嵌合雄部５が設けられていて、この難着雪リング１０を送電線６へ装着する際には、この嵌合雌部４と嵌合雄部５とを嵌合させて、送電線６に所定間隔で装着できるようになっている。
【０００４】
ところでこの図３に示す難着雪リング１０も含めて、従来の難着雪リング１０の内面形状は、いずれも難着雪リング１０が装着される送電線６の標準外径Ｄに合わせて、内面形状が真円に形成されている。
【０００５】
【特許文献１】特開平７−３２７３１３号公報
【特許文献２】特開２００４−２２９３３４号公報
【発明の開示】
【発明が解決しようとする課題】
【０００６】
ところで難着雪リング１０が装着される送電線６の外径は、もともと標準外径Ｄを中心に多少のばらつきが許容差として認められており、加えて送電線６の製造メーカーが多いこともあって、送電線６の外径は送電線６毎にばらついている、というのが実態である。
そのため仮に送電線６の外径が標準外径Ｄよりも小さい場合には、難着雪リング１０の内面と送電線６の外面との間に隙間ができ、難着雪リング１０を送電線６にしっかりと固定できず、送電線６の長手方向に難着雪リング１０が移動してしまい、難着雪リング１０の本来の状態である送電線６に難着雪リング１０を所定間隔で装着する、ということができなくなる、という問題がある。
【０００７】
逆に送電線６の外径が標準外径Ｄよりも大きい場合には、難着雪リング１０に弾性があるため僅かな差であれば少し無理をすれば装着できる場合もあるが、ある誤差以上になると装着することができなくなる。
以上のように従来の内面形状が真円である難着雪リング１０の場合には、この難着雪リング１０を装着する送電線６の外径が標準外径Ｄから外れていると、その誤差が送電線６に許容されている許容誤差範囲内であっても、正常に装着できない場合がある、という問題があった。
【０００８】
そこで本発明の目的は、送電線の外径のばらつきが許容誤差の範囲内であれば、外径のばらつきに関わらず、送電線の長手方向に対して所定間隔で確実に装着できる難着雪リングを提供することにある。
【課題を解決するための手段】
【０００９】
前記目的を達成すべく本発明の請求項１記載の難着雪リングは、送電線に所定間隔で装着される難着雪リングにおいて、該難着雪リングの内面形状は長径と短径を有する楕円形状になっていることを特徴とするものである。
【００１０】
このようにしてなる請求項１記載の難着雪リングによれば、送電線が標準外径Ｄよりも細い場合には、難着雪リングの短径部分で送電線の外側を把持でき、標準外径Ｄよりも太い場合には、難着雪リングの長径部分の対応により送電線の表面を確実に把持できるようになる。
【００１１】
また本発明の請求項２記載の難着雪リングは、請求項１記載の難着雪リングにおいて、前記送電線の標準外径をＤとしたとき前記難着雪リングの長径は（１．０２〜１．０３）Ｄ、短径は（０．９７〜０．９８）Ｄであることを特徴とするものである。
【００１２】
このようにしてなる請求項２記載の難着雪リングによれば、難着雪リングを装着する送電線の外径が、送電線の標準外径Ｄの許容誤差範囲内であれば、その外径変動に十分対応して送電線に容易に装着できる。
【発明の効果】
【００１３】
以上のように本発明によれば、送電線の外径のばらつきが許容誤差の範囲内であれば、外径のばらつきに関わらず、送電線の長手方向に対して所定間隔で確実に装着できる難着雪リングを提供することができる。
【発明を実施するための最良の形態】
【００１４】
以下に本発明の難着雪リングを図を用いて詳細に説明する。尚、前述した図３と同一部分には同一の符号を付してある。
図１及び図２は、本発明の難着雪リングの一実施例を示すもので、図１は、難着雪リングを周方向に１箇所のみ切開したタイプのものであって、送電線に装着すべく難着雪リングの切開部分を開いた状態を示す平面図である。
また図２は、その１箇所の切開部分において、左右の切開部分先端部に設けられた嵌合雄部及び嵌合雌部とを嵌合した状態、すなわち送電線に難着雪リングを装着した状態を示す平面図である。尚、図２において難着雪リングの内側に位置する送電線は省略してある。
【００１５】
図１及び図２が示すように、本発明の難着雪リング１０は、難着雪リング１０の本体１を１箇所のみ切開したもので、その中央部を他の部分より薄肉にして屈曲し易いようにして屈曲部７とし、この屈曲部７を中心にして切開部分の一方の端部に嵌合雌部４を、他方の端部に嵌合雄部５を形成したものである。
この難着雪リング１０を送電線６の長手方向に所定間隔で装着する場合には、図１が示すように切開部分を広げた状態で送電線６に被せ、前述した嵌合雌部４と嵌合雄部５とを嵌合させ、例えば、送電線上に、３００ｍｍ〜５００ｍｍの間隔でしっかりと固定する。
尚、図１で左上の図は、難着雪リング１０を矢印Ａの方向から見た側面図であり、右上の図は矢印Ｂ方向から見た側面図である。
【００１６】
図２が示すように本発明の難着雪リング１０の特徴は、この図のように切開部分の嵌合雌部４と嵌合雄部５とを嵌合させた状態で、その内面形状が短径Ａと長径Ｂとを有する楕円形状になっている点にある。
より具体的には、この難着雪リング１０は、送電線６の標準外径をＤとしたとき、その短径Ａを（０．９７〜０．９８）Ｄとなるように、そして長径Ｂが（１．０２〜１．０３）Ｄとなるように設計されている。
【００１７】
このように難着雪リング１０が長径と短径とを有する楕円形状を有していることから、装着する相手側の送電線６の外径が標準外径Ｄより細い場合でも、難着雪リング１０の短径Ａの部分及びその近傍で送電線の外面を確実に把持することが可能になる。
また逆に送電線６の外径がその標準外径Ｄよりも太くなって許容範囲の上限近くになっていた場合には、この難着雪リング１０の長径Ｂがこれに対応し、太い送電線６にもしっかりと装着させることが可能になる。
尚、送電線が標準外径Ｄよりも太くなって許容範囲の上限近くになっている場合により対処し易くするために、屈曲部７に予めより長さ的遊び持たせておくことも好ましい。具体的には、肉薄の屈曲部７の部分を予め少し外側に向けて突出させて長さを溜め込んでおく方法もある。
【００１８】
ところで、前述したように難着雪リング１０の短径Ａ、長径Ｂを、送電線６の標準外径をＤとしたとき、その短径Ａを（０．９７〜０．９８）Ｄ、そして長径Ｂを（１．０２〜１．０３）Ｄとしているのは、これまでの種々の経験からこの範囲内にしておけば送電線の外径がその許容誤差範囲で変化していても十分対応できることを確認できたからである。
尚、本発明の難着雪リング１０の材質は、従来のものと同様にゴムやプラスチック等からなるものである。因みに、プラスチックとしては、例えばポリエーテルエーテルケトン、ポリフェニレンサルファイドあるいはポリカーボネート等の既に難着雪リング１０の材料として公知の種々の樹脂が使用可能である。
【００１９】
ところで、難着雪リング１０の本体１が極めて硬いゴムやプラスチックからなる場合には、本体１の内面周方向全体に亘って、あるいは間歇的に突起１ｃを設けるようにすると、より送電線６側の外径変動に対応し易くなり好ましい。尚、この突起１ｃに所定間隔で切り込みを入れると、より送電線６へしっくりと装着でき好ましい。
また前述した実施例は、難着雪リング１０の周方向に１箇所のみ切開部分を設けた例で説明しているが、本発明はこのようなタイプの難着雪リング１０に限定されるものではなく、例えば図３に示すように難着雪リング１０を２つに分割したタイプのもの等、公知の種々の難着雪リング１０に応用できることはいうまでもない。
【００２０】
以上述べたように、本発明の難着雪リングによれば、送電線の外径のばらつきが許容誤差の範囲内であれば、外径のばらつきに関わらず、送電線の長手方向に対して所定間隔で確実に固定、装着できる難着雪リングを提供することができる。
【図面の簡単な説明】
【００２１】
【図１】本発明の難着雪リングの一実施例を示すもので、切開部分を開いた状態を示す平面図及び矢印Ａ方向、Ｂ方向から見た側面図である。
【図２】図１に示す本発明の難着雪リングを送電線に装着すべく切開部分端部の嵌合雌部及び嵌合雄部を嵌合した状態を示す平面図である。
【図３】従来の難着雪リングの平面図である。
【符号の説明】
【００２２】
１  難着雪リングの本体
４  嵌合雌部
５  嵌合雄部
６  送電線
７  屈曲部
１０  難着雪リング
【図１】
2006311629.tif 000003
【図２】
2006311629.tif 000004
【図３】
2006311629.tif 000005